(57)【要約】【課題】左右一対のサブミラーを三次元的に移動自在とすることによって、横顔、後頭部、頭の真上部分などをメインミラー１で写し見ることができる三面鏡を提供する。【解決手段】メインミラー１を取り付けた鏡取付枠３の所要部に、夫々屈曲自在な左右一対の支持アーム４の夫々基端部４ａを固定し、両支持アーム４，４の夫々先端部４ｂ，４ｂにサブミラー２を取り付けてなる。【選択図】図１
0003118639.tif 000002
【実用新案登録請求の範囲】
【請求項１】
メインミラーを取り付けた鏡取付枠の所要部に、夫々屈曲自在な左右一対の支持アームの夫々基端部を固定し、両支持アームの夫々先端部にサブミラーを取り付けてなることを特徴とする三面鏡。
【請求項２】
各支持アームの先端部には自在継手を介してサブミラーを取り付けてなることを特徴とする請求項１に記載の三面鏡。
【請求項３】
各支持アームは、金属製フレキシブルチューブ内に複数本の補強用鉄線を挿通させたものからなることを特徴とする請求項１又は２に記載の三面鏡。
【請求項４】
各支持アームの基端部は、鏡取付枠への取付けにあたって、略Ｕ字状に折り曲げた状態で、その複数箇所を取付金具を介して鏡取付枠の所要部に固定するようにしてなることを特徴とする請求項３に記載の三面鏡。
【考案の詳細な説明】
【技術分野】
【０００１】
本考案は、正面側のメインミラーと左右一対のサブミラーとからなる三面鏡に関するものである。
【背景技術】
【０００２】
従来の典型的な三面鏡として、例えば、鏡台本体に立設した鏡取付基枠にメインミラーを取り付け、鏡取付基枠の左右両側端部にサイド枠を折り畳み自在に枢着し、両サイド枠にサブミラーを取り付けた構造のものが知られている。
【考案の開示】
【考案が解決しようとする課題】
【０００３】
従来の三面鏡では、サブミラーを取り付けているサイド枠は、メインミラーと略同一平面の展開位置とメインミラーに折り重なる折り畳み位置との間で回動自在となっていて、そのサイド枠の回動範囲内でメインミラーによって横顔などを写し見ることができるが、後頭部や頭の真上部分などを写し見ることができなかった。また、三面鏡を洗面台に設置されることもあるが、洗面台の設置場所の幅が狭い所では、従来の三面鏡は、左右のサブミラーをメインミラーに対し９０°以上に回動させることができない場合が多く、三面鏡として十分活用できなかった。
【０００４】
本考案は、上記の課題に鑑み、左右一対のサブミラーを三次元的に移動自在とすることによって、横顔、後頭部、頭の真上部分などを的確に写し見ることができると共に、狭い場所でも設置できる三面鏡を提供することを目的とする。
【課題を解決するための手段】
【０００５】
上記課題を解決するための手段を、後述する実施形態の参照符号を付して説明すると、請求項１に係る考案の三面鏡Ａは、メインミラー１を取り付けた鏡取付枠３の所要部に、夫々屈曲自在な左右一対の支持アーム４，４の夫々基端部４ａを固定し、両支持アーム４，４の夫々先端部４ｂ，４ｂにサブミラー２を取り付けてなることを特徴とする。
【０００６】
請求項２は、請求項１に記載の三面鏡Ａにおいて、各支持アーム４の先端部４ｂには自在継手１１を介してサブミラー２を取り付けてなることを特徴とする。
【０００７】
請求項３は、請求項１又は２に記載の三面鏡Ａにおいて、各支持アーム４は、金属製フレキシブルチューブ５内に複数本の補強用鉄線６，７，８を挿通させたものからなることを特徴とする。
【０００８】
請求項４は、請求項３に記載の三面鏡Ａにおいて、各支持アーム４の基端部４ａは、鏡取付枠３への取付けにあたって、略Ｕ字状に折り曲げた状態で、その複数箇所を取付金具１５を介して鏡取付枠３の所要部に固定するようにしてなることを特徴とする。
【考案の効果】
【０００９】
上記解決手段による考案の効果を、後述する実施形態の参照符号を付して説明すると、請求項１に係る考案の三面鏡Ａは、メインミラー１を取り付けた鏡取付枠３の所要部に、夫々屈曲自在な左右一対の支持アーム４，４の夫々基端部４ａを固定し、両支持アーム４，４の夫々先端部４ｂ，４ｂにサブミラー２を取り付けたもので、各支持アーム４を適宜三次元的に屈曲させることにより、各サブミラー２を任意の角度位置に移動させて固定させることができるから、横顔、後頭部、頭頂部などをメインミラー１で写してサブミラー２で見ることができる。しかして、最も好ましい使用形態としては、使用者Ｍは、メインミラー１に背を向けた状態で三面鏡Ａの前に後ろ向きに立ち、後頭部ないし頭頂部をメインミラー１に写してそれらをサブミラー２で見れるように、左右の支持アーム４，４を適宜に屈曲させて左右のサブミラー２，２を所望位置に固定することにより、従来の三面鏡では困難であった後頭部ないし頭頂部の頭髪の調整や白髪染め等を容易且つ的確に行なうことができる。また、この三面鏡Ａは、洗面所などの狭い場所にも設置可能となる。
【００１０】
請求項２に係る考案の三面鏡Ａによれば、各支持アーム４の先端部に自在継手１１を介してサブミラー２を取り付けているから、サブミラー２のセット角度位置を支持アーム４の先端部で簡単容易に変更したり微調整することができる。
【００１１】
請求項３に係る考案の三面鏡Ａによれば、市販されているフレキシブルチューブ５を使用し、これに補強用鉄線６，７，８を挿入することによって、屈曲自在の支持アーム４を簡単容易に形成でき、従って三面鏡Ａの製作コストを安くできる。
【００１２】
請求項４に記載のように、各支持アーム４の基端部４ａを略Ｕ字状に折り曲げた状態でその複数箇所を取付金具１５を介して鏡取付枠３の所要部に取付け固定することにより、支持アーム４の基端部４ａを鏡取付枠３の所要部に対して安定良く且つ堅固に固定させることができる。
【考案を実施するための最良の形態】
【００１３】
以下に本考案の好適な実施形態を図面に基づいて説明すると、図１は洗面化粧台に適用した本考案の三面鏡を示す斜視図、図２の(a) 〜(c) は同三面鏡の要部を拡大して示す斜視図、図３は支持アームの内部構造を詳細に示す説明斜視図、図４の(a) は本考案に係る三面鏡の一使用形態を示す正面図であり、(b) は他の使用形態を示す側面図である。
【００１４】
これらの図において、Ａは化粧台本体Ｂの上部側に設置される本考案に係る三面鏡で、この三面鏡Ａは、メインミラー１を取り付けた鏡取付枠３の上部側の左右両端部に、夫々屈曲自在な左右一対の支持アーム４，４の夫々基端部４ａ，４ａを固定し、両支持アーム４，４の夫々先端部にサブミラー２，２を取り付けてなるものである。化粧台本体Ｂは、例えば木製キャビネット２１の上端部に陶器製の洗面化粧台２２を搭載装備した周知構造のものである。
【００１５】
上記三面鏡Ａの構造について更に詳細に説明すれば、鏡取付枠３は、上枠部３ａと下枠部３ｂと左右側枠部３ｃ，３ｃと背枠部３ｄとからなるもので、背枠部３ｄの正面側に矩形状のメインミラー１が取り付けられている。
【００１６】
各支持アーム４は、金属製のフレキシブルチューブ内に複数本の補強用鉄線６，７，８を挿通させたものからなるもので、この支持アーム４の構造について以下に具体的に説明する。
【００１７】
即ち、図２及び図３から分かるように、支持アーム４は、長さが例えば１０００ｍｍ、外径が例えば１３ｍｍのステンレス製フレキシブルチューブ５と、このフレキシブルチューブ５内に挿入された複数本の補強用鉄線６，７，８と、フレキシブルチューブ５の先端部５ａに取り付けられたステンレス製のベンド端管９とからなる。
【００１８】
補強用鉄線６は、長さ１０００ｍｍ、直径３ｍｍの比較的細い鉄線で、フレキシブルチューブ５内の全長に亘って２本挿入され、補強用鉄線７は、長さ２５０ｍｍ、直径６ｍｍの太い鉄線で、図３に示すように、フレキシブルチューブ５の基端部５ａ内に挿入され、また補強用鉄線８は、長さが２５０ｍｍ、直径が補強用鉄線６と同じ３ｍｍの細い鉄線であって、太い鉄線７の挿入された部分を除くフレキシブルチューブ５内の残り７５０ｍｍの長さ範囲に挿入されている。
【００１９】
このようにフレキシブルチューブ５内に鉄線６，７，８を挿入するのは、フレキシブルチューブ５だけでは、チューブ５の自重及びこれに取り付けるサブミラー２の重みで垂れる状態となることから、鉄線６，７，８を入れることにより、任意の変形位置でその形状及び位置を保持固定できるようにしたものであり、またフレキシブルチューブ５の基端部５ａ内に太い径の鉄線７を挿入したのは、支持アーム４の取付部となるフレキシブルチューブ５の基端部５ａに大きな曲げモーメントが作用することから、この基端部５ａに太径の鉄線７を入れることによって、この基端部５ａが折れ曲がらないようにしたものである。
【００２０】
そしてフレキシブルチューブ５の先端部５ｂにベンド端管９の一端部が取り付けられ、このベンド端管９の先端部に図２に示すように自在継手１０を介してサブミラー２が取り付けられている。自在継手１０は、屈曲した軸部１１の一端部に嵌合連結部１２を形成し且つ先端部に球状ピボット部１３を形成した硬質のプラスチック成形体からなるもので、この自在継手１０を取り付けるには、一端部側の嵌合連結部１２をベンド端管９の先端部に嵌合固着し、先端部側の球状ピボット部１３を、サブミラー２の取付基板２ｂの裏面側中央に設けてあるピボット受け部１４に回転自在に嵌合すればよい。
【００２１】
サブミラー２は、例えば円板状のミラー本体２ａと、このミラー本体２ａを取り付けるプラスチック製の取付基板２ｂとからなるもので、取付基板２ｂの裏面側中央にピボット受け部１４が設けられている。また、サブミラー２としては、曇り止めが施されたもの、つまり鏡表面に防曇処理膜が形成されたものが好ましい。このような防曇処理が施されたサブミラー２によれば、使用中にサブミラー２の鏡面に使用者Ｍの息がかかっても、曇ることがなく、鮮明に写すことができる。
【００２２】
上記構成の支持アーム４の取付けにあたっては、細い鉄線からなる２本の補強用鉄線６と共に太い鉄線からなる補強用鉄線７が挿入されたフレキシブルチューブ５の基端部５ａ側を、図２及び図３に示すように略Ｕ字状に折り曲げた状態で、鏡取付枠３の上枠部３ａの左右両端部上に配置して、その複数箇所（例えば３箇所）を、取付用ソケットのような取付金具１５を使用して上枠部３ａにビス１６で固定する。
【００２３】
上記のように各支持アーム４の基端部４ａを略Ｕ字状に折り曲げた状態で、その複数箇所を取付金具１５を介して鏡取付枠３の所要部に取付け固定することにより、支持アーム４の基端部４ａを鏡取付枠３の所要部に対して安定良く且つ堅固に固定することができるようになる。
【００２４】
図４の(a) 及び(b) は上述したような構成よりなる三面鏡Ａの好ましい使用形態を示したものである。即ち、(a) の場合では、使用者Ｍは、メインミラー１に背を向けた状態で三面鏡Ａの前に後ろ向きに立ち、しかして後頭部ないし側頭部をメインミラー１に写してそれらをサブミラー２で見れるように、左右両サブミラー２，２を掴んだ状態で左右両支持アーム４，４を適宜に押し引きして屈曲させながら、左右両サブミラー２，２を所望位置に固定するようにしたもので、こうすることによって、従来の三面鏡では困難であった後頭部ないし側頭部の頭髪の調整や白髪染め等を容易且つ的確に行なうことができる。
【００２５】
また(b) の場合には、使用者Ｍは、(a) の場合と同様にメインミラー１に背を向けた状態で三面鏡Ａの前に後ろ向きに立って後頭部ないし頭頂部をメインミラー１に写し、それらをサブミラー２で見れるように左右両支持アーム４，４を適宜に押し引きして屈曲させながら、左右両サブミラー２，２を所望位置に固定するようにしたもので、この場合も、従来の三面鏡では困難であった後頭部ないし頭頂部の頭髪の調整や白髪染め等を容易且つ的確に行なうことができる。
【００２６】
(a) ，(b) の場合は何れも、左右一対のサブミラー２，２所要位置にセットした後は、手を離しても、両サブミラー２，２は、そのセットした位置に固定したままの状態となるから、使用者Ｍは、その状態で頭髪を調整したり白髪染めを容易にして且つ的確に行なうことができる。この図４の(a) ，(b) に示した使用形態は、本考案に係る三面鏡Ａの最良の使用形態あるが、この三面鏡Ａは、使用者Ｍの好みに応じて、左右のサブミラー２，２を、使用者Ｍが必要とする任意の位置及び角度に自由にセットすることができるものである。また、各支持アーム４は、使用しない時には鏡取付枠３の上方側に折り畳んだ状態にしておけば、邪魔にならず、外観を損なうようなこともない。
【００２７】
また、この三面鏡Ａによれば、各支持アーム４の先端部には自在継手１１を介してサブミラー２を取り付けてあるため、支持アーム４の先端部でサブミラー２のセット角度位置を簡単に変更調整したり、微調整することができる。
【００２８】
以上説明した図１〜図４による実施形態においては、左右両支持アーム４，４の夫々基端部４ａ，４ａを鏡取付枠３の上枠部３ａの左右両端部に取り付けているが、上枠部３ａに限らず、鏡取付枠３の左右側枠部３ｃ，３ｃの所要部に取り付けるようにしてもよい。また、サブミラー２は、この実施形態では円板状のものを例示しているが、矩形状に形成してもよい。
【００２９】
また図１〜図４による実施形態においては、各支持アーム４は、金属製フレキシブルチューブ５内に複数本の補強用鉄線６，７，８を挿通させたものによって形成しているが、これに限るものではなく、屈曲自在であって、サブミラー２を任意の位置に固定できるものであれば、どのようなものでもよい。但し、図３に示すような構成の支持アーム４によれば、市販のフレキシブルチューブ５を使用し、これに補強用鉄線６，７，８を挿入することによって、屈曲自在の支持アーム４を簡単容易に形成でき、従って三面鏡Ａの製造コストを安くできる。
【００３０】
また、本考案に係る三面鏡は、既製の一面鏡に左右一対の支持アームを取りつけることによって製作することもできるものである。
【図面の簡単な説明】
【００３１】
【図１】洗面化粧台に適用した本考案の三面鏡を示す斜視図である。
【図２】(a) 〜(c) は同三面鏡の要部を拡大して示たもので、(a) は支持アームの基端部の取付状態を示す斜視図、(b) は支持アームの先端部に取り付けられたサブミラーを裏側から見た斜視図、(c) は同サブミラーを表側から見た斜視図である。
【図３】支持アームの内部構造を詳細に示す説明斜視図である。
【図４】(a) ，(b) は本考案に係る三面鏡の好ましい使用形態を示す正面図及び側面図である。
【符号の説明】
【００３２】
Ａ            三面鏡
１            メインミラー
２            サブミラー
３            鏡取付枠
４            支持アーム
４ａ          支持アームの基端部
４ｂ          支持アームの先端部
５            支持アームのフレキシブルチューブ
６，７，８    フレキシブルチューブ内に挿入される補強用鉄線
１０          自在継手
１５          取付金具
【図１】
0003118639.tif 000003
【図２】
0003118639.tif 000004
【図３】
0003118639.tif 000005
【図４】
0003118639.tif 000006